(57)【要約】【課題】  スピーカ取付面側に無理な負荷がかかることを防止してスピーカを取り付けること。【解決手段】  スピーカ取付面１０ｃ上に形成されたスピーカ枠２０内にスピーカ１４を嵌め込んだ状態で該スピーカ１４を固定するスピーカの取付構造であって、スピーカ枠２０を間に挟んだ状態で設けられて内周面にねじ溝が形成された一対の突出部２１と、該一対の突出部２１に架渡可能に形成されてスピーカ１４を裏面から押圧する押圧部材２２と、該押圧部材２２を間に挟んだ状態で、一対の突出部２１に螺合可能なねじ部材２３とを備え、押圧部材２２は、板状に形成された板状部３０と、該板状部３０の対向する両側位置からスピーカ１４の外縁方向に延出するよう形成され、押圧方向に弾性変形可能なアーム部３１と、該アーム部３１の先端に設けられてスピーカ１４の外縁部分を押圧する押圧部３２とを備えているスピーカの取付構造を提供する。【選択図】  図３
2005278066.tif 000002
【特許請求の範囲】
【請求項１】
スピーカ取付面上に形成されたスピーカ枠内にスピーカを嵌め込んだ状態で該スピーカを固定するスピーカの取付構造であって、
前記スピーカ取付面上に、前記スピーカ枠を間に挟んだ状態で該スピーカ取付面から突出するように設けられ、内周面にねじ溝が形成された一対の突出部と、
該一対の突出部に架渡可能に形成され、前記スピーカを裏面から前記スピーカ取付面に向けて押圧する押圧部材と、
該押圧部材を間に挟んだ状態で、前記一対の突出部のねじ溝にそれぞれ螺合可能なねじ部材とを備え、
前記押圧部材は、板状に形成された板状部と、該板状部の少なくとも対向する両側位置から前記スピーカの外縁方向に延出するよう形成され、前記押圧方向に弾性変形可能なアーム部と、該アーム部の先端に設けられ、前記スピーカの外縁部分を押圧する押圧部とを備えていることを特徴とするスピーカの取付構造。
【請求項２】
請求項１に記載のスピーカの取付構造において、
前記アーム部及び前記押圧部が、複数形成されていることを特徴とするスピーカの取付構造。
【請求項３】
請求項１又は２に記載のスピーカの取付構造において、
前記押圧部は、前記スピーカの外縁部分の形状に応じて形成されていることを特徴とするスピーカの取付構造。
【請求項４】
請求項１から３のいずれか１項に記載のスピーカの取付構造において、
前記ねじ部材を前記突出部のねじ溝に螺合する際に、前記スピーカ取付面に対して平行な方向に前記押圧部材が移動することを規制する規制手段を備えていることを特徴とするスピーカの取付構造。
【請求項５】
請求項１から４のいずれか１項に記載のスピーカの取付構造において、
絶縁性材料により形成され、前記押圧部材と前記スピーカとの間に配された絶縁シートを備えることを特徴とするスピーカの取付構造。
【請求項６】
請求項１から５のいずれか１項に記載のスピーカの取付構造において、
前記板状部には、前記スピーカの裏面に形成されたコーン部を貫通させる貫通孔が形成されていることを特徴とするスピーカの取付構造。
【請求項７】
請求項１から６のいずれか１項に記載のスピーカの取付構造を有することを特徴とする電子機器。
【発明の詳細な説明】
【技術分野】
【０００１】
本発明は、プラスチック等で形成されたスピーカ取付面にスピーカを押し付けて固定するスピーカの取付構造及びこれを備えた電子機器に関するものである。
【背景技術】
【０００２】
従来より、スピーカの取付構造は、スピーカの大きさやスピーカ取付面の形状等に応じて、様々な取付構造が提供されている（例えば、特許文献１参照）。一般的なスピーカの取付構造としては、スピーカを一旦専用のスピーカ架台に取り付け、該スピーカ架台をスピーカ取付面に取り付ける構造や、スピーカ取付面に直接スピーカ金具等により押し付けて固定する構造等が知られている。
【０００３】
このスピーカを直接取付面に固定する構造として、例えば、図７に示すようなスピーカ取付構造が知られている。
【０００４】
図７に示すスピーカ取付構造は、筐体４０と、該筐体４０の側面に設けられた環状リブ４１と、該環状リブ４１の基部の内周側に形成され該環状リブより径の小さい段部４２と、盤の外周が環状リブの内周に遊嵌すると共に盤面の外周部が環状の段部４２に当接するように設けられた円盤状のサウンダ（スピーカ）４３と、筐体に設けられ、サウンダ４３の外周部の直径方向の２箇所を環状の段部４２に向かって押圧する押圧手段４４とを備えている。
【０００５】
この押圧手段４４は、サウンダ４３の外周部に先端部４５ａが当接する２つのＬアングル４５と、環状リブ４１の外側に設けられ、内周側にねじ溝が形成されたねじ固定用ボス４６と、該ねじ固定用ボス４６のねじ溝に螺合してＬアングル４５を固定するねじ部材４７とを有している。
【０００６】
このように、構成されたスピーカ取付構造により、サウンダ４３を取り付ける場合には、サウンダ４３を環状リブ４１内に位置させた状態で、２つのＬアングル４５をその先端部４５ａがサウンダ４３の外周部に当接するように位置させる。そして、ねじ部材４７をねじ固定用ボス４６のねじ溝に螺合させることで、Ｌアングル４５の締め込みを行う。この際、ねじ部材４７の締め込みを行うにしたがって、Ｌアングル４５の先端部４５ａがサウンダ４３の外周部側に押圧されるので、サウンダ４３を確実に環状リブ４１に固定することができる。
【特許文献１】特開平１１−２１５５８２号公報（図３等）
【発明の開示】
【発明が解決しようとする課題】
【０００７】
ところで、図７に示す従来のスピーカ取付構造では、ねじ部材４７をねじ固定用ボス４６に螺合させる際、ねじ固定用ボス４６の高さが固定されているので、ねじ部材４７を締め込むにしたがって曲げモーメント等が働き、Ｌアングル４５が斜めとなる恐れがあった。これにより、ねじ固定用ボス４６に対して無理な力（圧力）、即ち、ねじ溝の軸方向に対して斜めに荷重が加わり、ねじ固定用ボス４６やねじ部材４７に変形等が生じる可能性があった。
【０００８】
本発明は、このような事情に考慮してなされたもので、その目的は、ねじ部材を締め付けたとしても、スピーカ取付面側に無理な負荷がかかることを防止してスピーカを取り付けることができるスピーカの取付構造及びこれを備えた電子機器を提供することである。
【課題を解決するための手段】
【０００９】
本発明は、前記課題を解決するために以下の手段を提供する。
【００１０】
本発明のスピーカの取付構造は、スピーカ取付面上に形成されたスピーカ枠内にスピーカを嵌め込んだ状態で該スピーカを固定するスピーカの取付構造であって、前記スピーカ取付面上に、前記スピーカ枠を間に挟んだ状態で該スピーカ取付面から突出するように設けられ、内周面にねじ溝が形成された一対の突出部と、該一対の突出部に架渡可能に形成され、前記スピーカを裏面から前記スピーカ取付面に向けて押圧する押圧部材と、該押圧部材を間に挟んだ状態で、前記一対の突出部のねじ溝にそれぞれ螺合可能なねじ部材とを備え、前記押圧部材は、板状に形成された板状部と、該板状部の少なくとも対向する両側位置から前記スピーカの外縁方向に延出するよう形成され、前記押圧方向に弾性変形可能なアーム部と、該アーム部の先端に設けられ、前記スピーカの外縁部分を押圧する押圧部とを備えていることを特徴とするものである。
【００１１】
この発明に係るスピーカの取付構造においては、スピーカ取付面のスピーカ枠に、スピーカを嵌め込んだ後、押圧部材を一対の突出部に架渡すようにしてスピーカの裏面側に位置させる。この状態は、板状部がスピーカの裏面に位置していると共に、押圧部がスピーカの外縁部分に接触している状態である。その後、押圧部材を間に挟んだ状態で、ねじ部材を一対の突出部のねじ溝に螺合させる。そして、このねじ部材の締め込みを行うことで、スピーカをスピーカ取付面に向けて徐々に押圧することができる。即ち、押圧部が、スピーカの外縁部を押圧することで、スピーカ全体をスピーカ枠内に押し付けることができる。これにより、スピーカをスピーカ枠内に嵌め込んだ状態で固定することができる。
【００１２】
ここで、上述したねじ部材の締め込みを行う際、締め込み力を増加させるにしたがって、押圧部材はスピーカから反発力を受けてもとの位置に戻るとする。ところが、アーム部は、押圧方向（スピーカの裏面に対して直交する方向）に弾性変形可能であるので、この反発力を受けてアーム部が弾性変形する。つまり、アーム部が反発力を吸収するので、反発力を板状部に伝達することを防止できる。
【００１３】
これにより、ねじ部材の締め込みを行ったとしても、従来のように、曲げモーメント等がねじ部材及び突出部のねじ溝に伝達して、これらに斜めの力が作用することはない。従って、ねじ部材及び突出部に変形や割れ等の不具合が生じることを防止することができ、スピーカ取付面に無理な負荷が働くことはない。
【００１４】
また、一定の締め付け力でねじ部材を螺合させることができ、スピーカを確実に固定することができる。よって、振動等によるねじ部材の緩みを極力防止することができる。特に、押圧部は、スピーカの外縁部分を押圧しているので、スピーカを固定した際の安定度が良い。
【００１５】
また、本発明のスピーカの取付構造は、上記本発明のスピーカの取付構造において、前記アーム部及び前記押圧部が、複数形成されていることを特徴とするものである。
【００１６】
この発明に係るスピーカの取付構造においては、アーム部が複数形成されているので、スピーカからの反発力を分散させて、１つ当たりのアーム部に働く反発力を低減させることができる。よって、アーム部の耐久性が増し、信頼性の向上を図ることができる。また、押圧部が複数形成されているので、スピーカの外縁部分をより多くの箇所で押圧でき、スピーカをより安定して固定することができる。
【００１７】
また、本発明のスピーカの取付構造は、上記本発明のスピーカの取付構造において、前記押圧部は、前記スピーカの外縁部分の形状に応じて形成されていることを特徴とするものである。
【００１８】
この発明に係るスピーカの取付構造においては、押圧部が、スピーカの外縁部分の形状に応じて形成、例えば、スピーカの形状が円形状（外縁部分の形状が円形状）である場合には、押圧部がその曲率に合った円弧状に形成されているので、より確実にスピーカの外縁部分を押圧でき、確実に固定することができる。
【００１９】
また、本発明のスピーカの取付構造は、上記本発明のいずれか１つのスピーカの取付構造において、前記ねじ部材を前記突出部のねじ溝に螺合する際に、前記スピーカ取付面に対して平行な方向に前記押圧部材が移動することを規制する規制手段を備えていることを特徴とするものである。
【００２０】
この発明に係るスピーカの取付構造においては、ねじ部材を突出部のねじ溝に螺合する際に、規制手段により、押圧部材がスピーカ取付面に対して平行な方向に移動することはないので、ねじ部材の回転に連れて、押圧部材が回転することを防止することができる。つまり、押圧部材を位置決めした状態で、ねじ部材の螺合を行えるので、スピーカを固定し易い。また、ねじ部材及びねじ溝に負荷がかかり難い。
【００２１】
また、本発明のスピーカの取付構造は、上記本発明のいずれか１つのスピーカの取付構造において、絶縁性材料により形成され、前記押圧部材と前記スピーカとの間に配された絶縁シートを備えることを特徴とするものである。
【００２２】
この発明に係るスピーカの取付構造においては、押圧部材とスピーカとの間に、絶縁シートが配されているので、押圧部材をアルミや鉄等の金属材料により形成したとしても、接触によるスピーカへの干渉を防止することができる。これにより、例えば、スピーカに雑音が混じったり、基本性能が変化することを防止することができる。
【００２３】
また、本発明のスピーカの取付構造は、上記本発明のいずれか１つのスピーカの取付構造において、前記板状部には、前記スピーカの裏面に形成されたコーン部を貫通させる貫通孔が形成されていることを特徴とするものである。
【００２４】
この発明に係るスピーカの取付構造においては、板状部に形成された貫通孔が、例えば、マグネットやコイル等を内蔵したコーン部を貫通させるので、スピーカへの影響をより低減した状態でスピーカを固定することができる。
【００２５】
また、本発明の電子機器は、上記本発明のいずれか１つのスピーカの取付構造を有することを特徴とするものである。
【００２６】
この発明に係る電子機器においては、スピーカの取り付け構造により、スピーカ取付面に無理な負荷が働くことを防止し、スピーカを確実に固定することができるので、電子機器の信頼性を向上することができる。
【発明の効果】
【００２７】
本発明に係るスピーカの取付構造によれば、ねじ部材の締め込みを行ったとしても、従来のように、曲げモーメント等がねじ部材及び突出部のねじ溝に伝達して、これらに斜めの力が作用することはない。従って、ねじ部材及び突出部に変形や割れ等の不具合が生じることを防止することができ、スピーカ取付面に無理な負荷が働くことはない。
【００２８】
また、一定の締め付け力でねじ部材を螺合させることができ、スピーカを確実に固定することができ、振動等によるねじ部材の緩みを極力防止することができる。特に、押圧部は、スピーカの外縁部分を押圧しているので、スピーカを安定して固定することができる。
【００２９】
また、本発明に係る電子機器によれば、電子機器の信頼性を向上することができる。
【発明を実施するための最良の形態】
【００３０】
以下、本発明に係るスピーカの取付構造及び電子機器の一実施形態を、図１から図６を参照して説明する。
【００３１】
本実施形態では、電子機器を、図１に示すヘルスケアシステム１で使用されるホームサーバ２として以下に説明する。なお、電子機器は、このホームサーバ２に限定されるものではない。
【００３２】
上記ヘルスケアシステム１は、自宅Ｈ１で生活している被検者Ｐの血糖値や脈拍数等の生体情報を、医療機関等の健康管理ステーションＨ２で入手及び管理すると共に、入手した情報に基づいて健康管理ステーションＨ２から被検者Ｐに適切な指示等を与えることができるシステムである。
【００３３】
このヘルスケアシステム１は、上記被検者Ｐの、例えば、手首等に装着可能とされて被検者Ｐの生体情報を測定する腕時計型の生体情報端末３、該生体情報端末３とＢｌｕｅｔｏｏｔ等の無線通信を行って、測定された生体情報を取得する上記ホームサーバ２と、該ホームサーバ２と通信回線４を介して生体情報を入手すると共に管理を行うセントラルサーバ５とを備えている。この通信回線４は、例えば、公衆回線網、専用線、ＬＡＮ（ローカルエリアネットワーク）、インターネット等の回線が１つ又は複数組み合わされて適用され、有線又は無線によって通信が行われる。
【００３４】
上記生体情報端末３は、測定した生体情報を上記ホームサーバ２に通信可能とされている。この通信としては、例えば、所定の時間間隔を空けて連続的に自動通信したり、或いは、ある時刻に達したときに自動通信したり、或いは、被検者Ｐの操作により通信されるよう設定されている。また、生体情報の送信だけでなく、例えば、ホームサーバ２を介してセントラルサーバ５からの制御信号を受信し、この制御信号を受けたときに生体情報をホームサーバ２に通信できるように設定されている。
【００３５】
上記セントラルサーバ５は、健康管理ステーションＨ２で医師や看護士等の管理者により操作され、入手した生体情報を管理者によって管理できるようになっている。また、セントラルサーバ５は、上記ホームサーバ２の動作を制御したり、ホームサーバ２にメッセージを送信すると共に、後述するスピーカ１４から該メッセージを音声出力させて被検者Ｐにその内容を知らせることができるようになっている。
【００３６】
上記ホームサーバ２は、図２に示すように、例えば、被検者Ｐの自宅Ｈ１内に設置されるものであり、アルミや鉄等の金属材料により箱状に形成された筐体１０ａと、プラスチック等で形成されて筐体１０ａの上部に嵌合固定される本体カバー１０ｂと、プラスチック等で形成されて筐体１０ａの前面に嵌合固定される前面カバー１０ｃとを有する本体１０、本体カバー１０ｂの表面に配されて上記生体情報端末３との間で生体情報の通信を行う無線アンテナ１１、本体カバー１０ｂの表面に配されて各種の操作を行う複数のボタン１２、本体カバー１０ｂの表面に配されて作動状況に応じて発光する複数のＬＥＤ１３及び前面カバー１０ｃに固定されたスピーカ１４を備えている。
【００３７】
上記無線アンテナ１１は、本体カバー１０ｂの表面に突出するよう設けられ、筐体１０ａ内に設けられた図示しない送受信部とで生体情報の通信が可能とされている。
【００３８】
上記複数のボタン１３は、押し下げ操作に応じて筐体１０ａ内部に設けられた図示しないＬＥＤからの光を透過させて、表面が発光する照光式押しボタンスイッチである。
【００３９】
また、上記スピーカ１４は、例えば、円形状のスピーカであり、健康管理ステーションＨ２から送られてきたメッセージや、その他各種情報をボタン１２の操作に応じて音声出力するようになっている。
【００４０】
ここで、本発明に係るスピーカの取付構造は、図３から図６に示すように、スピーカ取付面、即ち、前面カバー１０ｃの裏面に形成されたスピーカ枠２０内に上記スピーカ１４を嵌め込んだ状態で、該スピーカ１４を固定するものである。
【００４１】
このスピーカの取付構造は、前面カバー１０ｃの裏面上に、スピーカ枠２０を間に挟んだ状態で前面カバー１０ｃの裏面から突出するように設けられ、内周面に図示しないねじ溝が形成された一対のねじ固定用ボス２１と、該一対のねじ固定用ボス２１に架渡可能に形成され、スピーカ１４を裏面から前面カバー１０ｃに向けて押圧する押圧部材２２と、該押圧部材２２を間に挟んだ状態で、一対のねじ固定用ボス２１のねじ溝にそれぞれ螺合可能な一対のスクリュ（ねじ部材）２３とを備えている。
【００４２】
また、本実施形態のスピーカの取付構造は、スクリュ２３をねじ固定用ボス２１のねじ溝に螺合する際に、前面カバー１０ｃに対して平行な方向に上記押圧部材２２が移動することを規制する規制手段２４と、絶縁性材料により形成され、押圧部材２２とスピーカ１４との間に配された絶縁シート２５とを備えている。
【００４３】
上記スピーカ枠２０は、上記スピーカ１４を嵌め込むことができるように、スピーカ１４の直径より若干径の大きい環状（円形状）に形成されている。また、スピーカ枠２０の内周面には、段部２０ａが形成されている。これにより、スピーカ１４をスピーカ枠２０内に嵌め込んだときに、スピーカ１４の外縁部が当接してスピーカ１４の表面全体が前面カバー１０ｃの裏面に接触しないようになっている。また、前面カバー１０ｃには、スピーカ枠２０内の範囲において、複数の音孔１０ｄが形成されている。なお、このスピーカ枠２０は、前面カバー２０ｃに一体成型によりプラスチック等で形成されている。
【００４４】
上記一対のねじ固定用ボス２１は、前面カバー１０ｃの長手方向に並ぶように設けられており、スピーカ枠２０より突出するよう円筒状に形成されている。なお、一対のねじ固定用ボス２１は、スピーカ枠２０と同様に、前面カバー２０ｃに一体成型によりプラスチック等で形成されている。
【００４５】
また、前面カバー１０ｃの裏面には、上記一対のねじ固定用ボス２１に隣接して、即ち、前面カバー１０ｃの短手方向に向けてねじ固定用ボス２１と一列に並ぶように、円筒状に形成された一対のピン２６が裏面から突出するように形成されている。この一対のピン２６は、一対のねじ固定用ボス２１より若干高くように形成されている。なお、この一対のピン２６も、前面カバー２０ｃに一体成型によりプラスチック等で形成されている。
【００４６】
上記押圧部材２２は、アルミや鉄等の金属材料に形成され、板状に形成された板状部３０と、該板状部３０の少なくとも対向する両側位置からスピーカ１４の外縁方向に延出するよう形成されて押圧方向に弾性変形可能なアーム部３１と、該アーム部３１の先端に設けられてスピーカ１４の外縁部分を押圧する押圧部３２とを備えている。
【００４７】
板状部３０は、前面カバー１０の長手方向に延びた略長方形状に形成され、長手方向の距離が一対のねじ固定用ボス２１間の距離より長く、短手方向の距離がねじ固定用ボス２１の中心とピン２６の中心との距離より長くなるよう形成されている。また、板状部３０の長手方向の両側端部には、上記スクリュ２３を貫通させる貫通孔３０ａ及び上記ピン２６を貫通させる貫通孔３０ｂがそれぞれ形成されている。この貫通孔３０ｂ及び上記一対のピン２６は、上記規制手段２４を構成している。
【００４８】
また、上記板状部３０の中央部分は、円形部３０ｃとなっており、該円形部３０ｃの中心にスピーカ１４の裏面に形成されたコーン部１４ａを貫通させる貫通孔３０ｄが形成されている。
【００４９】
上記アーム部３１は、本実施形態においては４つ（複数）形成されている。つまり、アーム部３１は、板状部３０の対向する両側位置、即ち、円形部３０ｃの中心を挟んだ両側位置から半径方向外方（スピーカ１４の外縁方向）に延出するように４つ（片側２つ毎）形成されている。
【００５０】
このアーム部３１は、その幅が小さく、また、延出長さが所定の長さを有するよう形成され、基端部を境に押圧方向、即ち、スピーカ１４の裏面に対して直交する方向に弾性変形するようになっている。
【００５１】
上記押圧部３２は、アーム部３１の先端から下方に略直角に折り曲げられると共に、押圧部３２自身が撓んだり、変形することがないようアーム部３１の幅より大きな幅で形成されている。また、本実施形態の押圧部３２は、スピーカ１４の外縁部分の形状に合うように、スピーカ１４の曲率半径と同一の円弧状に形成されている。
【００５２】
上記絶縁シート３５は、上記板状部３０と同一形状、同一寸法になるように形成されている。即ち、絶縁シート３５には、押圧部材２２と同様に上記貫通孔３０ａ、３０ｂ、３０ｄが形成されている。
【００５３】
このように構成されたスピーカの取付構造により、スピーカ１４を前面カバー１０ｃに固定する場合について説明する。
【００５４】
まず、スピーカ枠２０内にスピーカ１４を嵌め込んだ後、該スピーカ１４の裏面に絶縁シート２５及び押圧部材２２を順に重ね合わせる。この際、押圧部材２２は、スピーカ１４の外縁部に接触している状態である。また、一対のピン２６が、板状部３０の貫通孔３０ｂ内に挿入された状態となっている。つまり、押圧部材２２は、一対のピン２６及び貫通孔３０ｂで構成される規制手段２４により、前面カバー１０ｃに対して平行な方向への移動が規制された状態となっている。
【００５５】
次に、一対のスクリュ２３を、押圧部材２２及び絶縁シート２５の貫通孔３０ａを通して一対のねじ固定用ボス２１のねじ溝に螺合させ、スクリュ２３を回転させて締め込みを行う。この際、押圧部材２２は、上述したように規制手段２４により、前面カバー１０ｃに対して平行な方向への移動が規制されているので、スクリュ２３の回転につられて動くことがないので、締め込みが確実に行えると共に、締め込み作業を行い易い。
【００５６】
また、スクリュ２３の締め込み作業を行うにしたがって、押圧部３２がスピーカ１４の外縁部分を裏面から前面カバー１０ｃに向けて押圧する。つまり、スピーカ１４は、押圧部３２によってスピーカ枠２０の段部２０ａに押し付けられる。そして、スクリュ２３を所定の力で締めこむことによって、スピーカ１４をスピーカ枠２０内に嵌め込んだ状態で固定することができる。
【００５７】
この際、押圧部３２は、４つ形成されているので、スピーカ１４の外縁部分をより多点で押圧でき、よりスピーカ１４を安定して固定させることができる。また、押圧部３２の形状が、スピーカ１４の外縁部分の形状に合った円弧状であるので、接触状態を確実にできることからもスピーカ１４の安定した固定を行うことができる。
【００５８】
一方、スクリュ２３を締め込むことによって、押圧部３２及びアーム部３１は、スピーカ１４からの反発力（スピーカ１４の裏面に対して略直交方向に作用）を受ける。ここで、押圧部３２は、アーム部３１よりも幅が大きく形成されているので、アーム部３１より強度が増している。そのため、上記反発力は、押圧部３２で吸収される前にアーム部３１に伝達される。なお、本実施形態においては、押圧部３２が、円弧状に形成されていることからも、曲げ等に強くより強度が増加している状態であるので、アーム部３１に反発力が伝達され易い。
【００５９】
そして、アーム部３１は、伝達されてきた反発力を受けることで、弾性変形する。このアーム部３１の弾性変形により、反発力を吸収でき、板状部３０に反発力が伝達することを防止することができる。
【００６０】
従って、スクリュ２３を締め込むことによって、スピーカ１４からの反発力が曲げモーメント等として一対のスクリュ２３及び一対のねじ固定用ボス２１に作用することを防止することができる。これにより、従来のように、スクリュ２３及びねじ固定用ボス２１に対して、斜めの力が働くことはなく、スクリュ２３及びねじ固定用ボス２１の変形や割れ等の不具合が生じることを防止することができる。よって、一定の締め付け力でスピーカ１４の固定を確実に行うことができると共に信頼性の向上を図ることができる。また、振動等によるスクリュ２３の緩み等を極力防止することができる。
【００６１】
また、アーム部３１は、４つ形成されているので、反発力を分散させて、１つ当たりのアーム部３１に働く反発力を低減させることができる。従って、アーム部３１の耐久性が増し、信頼性の向上を図ることができる。
【００６２】
また、押圧部材２２とスピーカ１４との間には、絶縁シート３５が配されているので、金属接触によるスピーカ１４への干渉を防止することができる。これにより、例えば、音声に雑音が混ざったり、スピーカ１４の基本性能に影響を与えることを防止することができる。
【００６３】
更に、押圧部材２２及び絶縁シート３５には、貫通孔３０ｄが形成されているので、スピーカ１４を固定したときに、マグネットやコイル等が内蔵されているコーン部１４ａを押圧することはない。このことからも、スピーカ１４への影響を極力なくすことができる。
【００６４】
上述したように、本発明のスピーカの取付構造によれば、スクリュ２３の締め込みを行ったとしても、従来のように、曲げモーメント等がスクリュ２３及びねじ固定用ボス２１に伝達して、これらに斜めの力が作用することはない。従って、スクリュ２３及びねじ固定用ボス２１に変形や割れ等の不具合が生じることを防止することができ、前面カバー１０ｃに無理な負荷が働くことはない。特に、本実施形態のように、前面カバー１１をプラスチック等により形成している場合には、好適な取付構造である。
【００６５】
また、一定の締め付け力でスクリュ２３を螺合させることができ、スピーカ１４を確実に固定することができ、振動等によるスクリュ１４の緩みを極力防止することができる。特に、押圧部３２は、スピーカ１４の外縁部分を押圧しているので、スピーカ１４を安定して固定することができる。
【００６６】
また、本発明のスピーカの取付構造を有するホームサーバ２によれば、前面カバー１０ｃに負担を掛けずに、確実にスピーカ１４を固定できるので、製品の信頼性を向上することができる。
【００６７】
なお、本発明の技術範囲は上記実施の形態に限定されるものではなく、本発明の趣旨を逸脱しない範囲において種々の変更を加えることが可能である。
【００６８】
例えば、上記実施形態においては、上述したように、電子機器としてホームサーバを例として説明したが、これに限られず、スピーカを有する電子機器であれば構わない。
【００６９】
また、スピーカの形状を円形状として説明したが、円形状に限られるものではなく、四角形状でも良い。この場合には、押圧部の形状を円弧状でなく、直線状に形成すれば良い。
【００７０】
更に、アーム部及び押圧部を４つ設けた構成にしたが、少なくとも板状部の対向する両側位置に一対あれば構わない。
【図面の簡単な説明】
【００７１】
【図１】本発明に係るスピーカの取付構造及びホームサーバ（電子機器）を説明するための図であって、ホームサーバを構成品とするヘルスケアシステムの全体構成図である。
【図２】図１に示すヘルスケアシステムの構成品であって、本発明に係るホームサーバの外観図である。
【図３】本発明のスピーカの取付構造を説明するための図であって、図２に示すホームサーバを構成しているスピーカの取付状態を示す分解斜視図である。
【図４】図３に示す状態からスピーカを前面カバーに取付けた状態の図であって、前面カバーを裏面から見た図である。
【図５】図４に示す取付状態の断面矢視Ａ−Ａ図である。
【図６】図４に示す取付状態の断面矢視Ｂ−Ｂの簡略図である。
【図７】従来のスピーカの取付構造を示す図である。
【符号の説明】
【００７２】
２    ホームサーバ（電子機器）
１０ｃ    前面カバー（スピーカ取付面）
１４    スピーカ
１４ａ    コーン部
２１    ねじ固定用ボス（一対の突出部）
２２    押圧部材
２３    スクリュ（ねじ部材）
２４    規制手段
３０    板状部
３１    アーム部
３２    押圧部
３５    絶縁シート
【図１】
2005278066.tif 000003
【図２】
2005278066.tif 000004
【図３】
2005278066.tif 000005
【図４】
2005278066.tif 000006
【図５】
2005278066.tif 000007
【図６】
2005278066.tif 000008
【図７】
2005278066.tif 000009